(57)【特許請求の範囲】
【請求項１】
機器本体に、スイッチユニットとフロントカバーとからなる操作部を設け、前記スイッチユニットがベースに複数のスイッチを設けて構成されており、且つ、前記フロントカバーに各スイッチのスイッチ側操作部に対応するスイッチ操作用孔部を設け、これらのスイッチ操作用孔部側から前記スイッチ側操作部を操作して各スイッチを作動するようにした電子機器において、
前記スイッチ操作用孔部にそれぞれ対応して、該スイッチ操作用孔部の遮蔽及びこの遮蔽の解除をそれぞれ行う複数のシャッターを有し、該各シャッターが、軸部を有すると共に、該軸部の先端部にこの軸部に対して直角な遮蔽部を設けて構成しており、前記軸部の先端面部に、特殊工具の工具側シャッター操作部を係脱可能に係合するシャッター側操作部としての係合凹部を形成し、
且つ、前記ベースの面部に前記各シャッターに対応して複数のシャッター保持用筒部を設け、
前記フロントカバーに、前記各シャッターの前記係合凹部に対応すると共に前記特殊工具が挿入されるシャッター操作用孔部を設け、
前記各シャッターを、その軸部を前記各シャッター保持用筒部にそれぞれ挿入貫通させて前記ベースに設け、前記スイッチユニットに前記フロントカバーを重ねて、前記各シャッター操作用孔部内に前記各シャッターの前記係合凹部をそれぞれ位置させたことを特徴とする電子機器のキープロテクト構造。
【発明の詳細な説明】
【０００１】
【発明の属する技術分野】
本発明は、タイマ、温度調節器などの電子制御機器を含む電子機器のキープロテクト構造に関するものである。
【０００２】
【従来の技術】
従来の電子機器には、図１３に示すように、その前面に操作部２００が設けてある。この操作部２００は、スイッチユニット（図示せず）とフロントカバー２０９から構成してあり、スイッチユニットは、第１、第２、第３のスイッチ２１０、２１１、２１２と、電子部品を実装し且つ導電パターン（図示せず）を形成したプリント基板（図示せず）とを備えている。
【０００３】
また、フロントカバー２０９の面部２０９ａには、第１のスイッチ操作用孔部２１３及び円弧状の表示窓部２１３Ａと、第２のスイッチ操作用孔部２１４と、第３のスイッチ操作用孔部２１５とが形成してあり、第２のスイッチ操作用孔部２１４と第３のスイッチ操作用孔部２１５とは、それぞれに長方形状の表示窓部２１４Ａ、２１５Ａを有している。
【０００４】
そして、第１のスイッチ操作用孔部２１３には、第１のスイッチ２１０の操作軸（図示せず）に設けた設定摘み部材２１６が、また、第２のスイッチ操作用孔部２１４には、第２のスイッチ２１１の操作軸（図示せず）に設けた設定摘み部材２１７が、さらに、第３のスイッチ操作用孔部２１５には、第３のスイッチ２１２の操作軸（図示せず）に設けた設定摘み部材２１８が、それぞれにフロントカバー２０９の面部２０９ａより前方に突出させて配置してある。
【０００５】
したがって、第１、第２、第３のスイッチ２１０、２１１、２１２における設定を行う場合には、作業者が設定摘み部材２１６、２１７、２１８を回転操作する。
【０００６】
また、従来の電子機器における操作部２００としては、図１４に示すように、第１、第２、第３のスイッチ２１０、２１１、２１２には設定摘み部材２１６、２１７、２１８を設けることなく、第１、第２、第３のスイッチ２１０、２１１、２１２の摘み部（図示せず）の中心にそれぞれ十字溝２１９、２２０、２２１を設け、フロントカバー２０９の第１のスイッチ操作用孔部２１３内に、第１のスイッチ２１０の十字溝２１９を位置させ、また、第２のスイッチ操作用孔部２１４内に、第２のスイッチ２１１の十字溝２２０を位置させ、また、第３のスイッチ操作用孔部２１５内に、第３のスイッチ２１２の十字溝２２１を位置させて構成してある。
【０００７】
したがって、第１、第２、第３のスイッチ２１０、２１１、２１２における設定を行う場合には、先端が十字形状の係合凸部（図示せず）である操作部（図示せず）を有する工具（図示せず）を用いて行われる。すなわち、工具の操作部を、フロントカバー２０９の第１のスイッチ操作用孔部２１３（または第２のスイッチ操作用孔部２１４、または第３のスイッチ操作用孔部２１５）に挿入して、この操作部の十字形状の係合凸部を、第１のスイッチ２１０（または第２のスイッチ２１１、または第３のスイッチ２１２）の十字溝２１９（２２０、２２１）に係合して、工具を回転することにより第１のスイッチ２１０（または第２のスイッチ２１１、または第３のスイッチ２１２）を回転し設定の変更を行う。
【０００８】
【発明が解決しようとする課題】
しかしながら、上記した従来の電子機器の前者のものにあっては、第１のスイッチ操作用孔部２１３には第１のスイッチ２１０の設定摘み部材２１６が、また、第２のスイッチ操作用孔部２１４には第２のスイッチ２１１の設定摘み部材２１７が、さらに、第３のスイッチ操作用孔部２１５には第３のスイッチ２１２の設定摘み部材２１８がそれぞれにフロントカバー２０９の面部２０９ａより前方に突出させて配置してあるために、作業者のレベルに関係なく誰でもが、設定摘み部材２１６、２１７、２１８を回転操作して設定値を変更することができ、意図的な設定値の変更を防止することができないという問題点があった。
【０００９】
また、従来の電子機器の後者のものにあっては、フロントカバー２０９の第１のスイッチ操作用孔部２１３内に第１のスイッチ２１０の十字溝２１９が、また、第２のスイッチ操作用孔部２１４内に第２のスイッチ２１１の十字溝２２０が更には、第３のスイッチ操作用孔部２１５内に第３のスイッチ２１２の十字溝２２１がそれぞれ位置していて、外部から容易に十字溝２１９、２２０、２２１を視認することができるために、先端が十字形状の操作部を有する工具を用いれば作業者のレベルに関係なく誰（ユーザー等）でもが、設定摘み部材２１６、２１７、２１８を回転操作して設定値を変更することができ、意図的な設定値の変更を防止することができないという問題点があった。
【００１０】
本発明は、上記の問題点に着目して成されたものであって、その目的とするところは、ユーザー等によるスイッチの意図的な設定値の変更を防止することができるし、また、ソフトがなくともキープロテクト機能を簡単な構造で持てるようになる電子機器のキープロテクト構造を提供することにある。
【００１１】
【課題を解決するための手段】
上記の目的を達成するために、本発明に係る電子機器のキープロテクト構造は、機器本体に、スイッチユニットとフロントカバーとからなる操作部を設け、前記スイッチユニットがベースに複数のスイッチを設けて構成されており、且つ、前記フロントカバーに各スイッチのスイッチ側操作部に対応するスイッチ操作用孔部を設け、これらのスイッチ操作用孔部側から前記スイッチ側操作部を操作して各スイッチを作動するようにした電子機器において、前記スイッチ操作用孔部にそれぞれ対応して、該スイッチ操作用孔部の遮蔽及びこの遮蔽の解除をそれぞれ行う複数のシャッターを有し、該各シャッターが、軸部を有すると共に、該軸部の先端部にこの軸部に対して直角な遮蔽部を設けて構成しており、前記軸部の先端面部に、特殊工具の工具側シャッター操作部を係脱可能に係合するシャッター側操作部としての係合凹部を形成し、且つ、前記ベースの面部に前記各シャッターに対応して複数のシャッター保持用筒部を設け、前記フロントカバーに、前記各シャッターの前記係合凹部に対応すると共に前記特殊工具が挿入されるシャッター操作用孔部を設け、前記各シャッターを、その軸部を前記各シャッター保持用筒部にそれぞれ挿入貫通させて前記ベースに設け、前記スイッチユニットに前記フロントカバーを重ねて、前記各シャッター操作用孔部内に前記各シャッターの前記係合凹部をそれぞれ位置させたことを特徴とするものである。
【００２８】
かかる構成により、スイッチの設定を終えたら、特殊工具の工具側シャッター操作部をシャッター操作用孔部に挿入して、この工具側シャッター操作部をシャッターの係合凹部に係合して、特殊工具を操作することにより、このシャッターを作動して、その遮蔽部をスイッチの直上に移動してスイッチ操作用孔部を閉じて、スイッチを外部から操作できないようにロック（キープロテクト）することができる。
【００２９】
このために、特殊工具を持たない人、例えばユーザーの意図的な設定値の変更を防止することができるし、また、複数のスイッチのうちのいずれかにシャッターによるロックを施して、現場作業者が操作ミスできないようにレベル分けできるために、作業者にとって簡単な操作部ができる。また、ソフトがない商品（電子機器）でもキープロテクト機能を簡単な構造で持てるようになる。
【００３０】
また、これまでキープロテクトを有効にするための入力端子又はスイッチを必要としていたが、これらの入力端子又はスイッチをなくすことができるし、また、電子機器のフロント部全体をカバーで覆い、キープロテクトするものはカバーが取り外せないなどの不具合があったが、このような不具合を解消することができるし、また、省スペースでも実現できる構造にすることが可能になるし、特殊工具、すなわち、専用キーの種類によってキープロテクトレベルを変えることができる。
【００３１】
【発明の実施の形態】
以下、本発明の実施の形態を図面に基づいて説明する。
図１は本発明に係るキープロテクト構造を備えた電子機器の斜視図、図２は同電子機器の分解状態の斜視図、図３は同電子機器における操作部の分解状態の斜視図である。
【００３２】
電子機器Ａは、ケース１と、カバー２と、このケース１とカバー２とから成るハウジング３内に収納される内部機器４と、フロントカバー１０とから大略構成してある。そして、ハウジング３とフロントカバー１０とで機器本体を構成している。そして、内部機器４は第１、第２の端子台５、６と、スイッチユニット７と、プリント基板８に多数の電子部品を実装してなる基板ユニット９とから大略構成してある。
【００３３】
そして、図２に示すようにケース１は略四角形状のケース本体１−１を備えており、このケース本体１−１の前面側にはユニット装着部１１が形成してあり、また、ケース１の側壁部１Ａには第１の端子台装着部１２が、ケース１の側壁部１Ｂには第２の端子台装着部１３がそれぞれ形成してある。
【００３４】
そして、ケース１のユニット装着部１１にはスイッチユニット７とフロントカバー１０とが装着してあり、また、第１の端子台装着部１２には第１の端子台５が、第２の端子台装着部１３には第２の端子台６がそれぞれに装着してあり、また、ケース１の内部には基板ユニット９が装着してあり、このケース１にカバー２を装着して電子機器Ａが構成してある。
【００３５】
したがって、電子機器Ａの前面には、その中央部に位置してスイッチユニット７とフロントカバー１０からなる操作部４００が、この操作部４００を挟んだ両側に端子台部４０１、４０２がそれぞれ設けてあり、電子機器Ａの後面にはレール係合部４０３が設けてある。
【００３６】
スイッチユニット７は、図２及び図３に示すように透明なベース１４を備えており、ベース１４の面部１４ａには、図４に示すように第１、第２、第３のスイッチ保持孔部１６、１７、１８が設けてある。
【００３７】
そして、第１のスイッチ保持孔部１６には、例えば、時間設定用スイッチのような第１のスイッチ２１のスイッチ本体２１Ａが、第２のスイッチ保持孔部１７には、例えば、レンジ設定用スイッチのような第２のスイッチ２２のスイッチ本体２２Ａが、また、第３のスイッチ保持孔部１８には、例えば、モード切換スイッチのような第３のスイッチ２３のスイッチ本体２３Ａがそれぞれ回転可能に挿入貫通してある。
【００３８】
そして、スイッチ本体２１Ａ、２２Ａ、２３Ａの周部にはフック部２７が形成してあり、これらスイッチ本体２１Ａ、２２Ａ、２３Ａが第１、第２、第３のスイッチ保持孔部１６、１７、１８に嵌挿された状態で、フック部２７が第１、第２、第３のスイッチ保持孔部１６、１７、１８の周縁部に摺接している。
【００３９】
また、スイッチ本体２１Ａ、２２Ａ、２３Ａの端部にはフランジ状の摘み部２８、２９、３０が形成してあり、これらの摘み部２８、２９、３０の中心には、特殊工具が係合するためのスイッチ側操作部である十字溝３１、３２、３３が形成してある。
【００４０】
また、ベース１４の面部１４ａには、第１、第２、第３のシャッター保持用筒部３４、３５、３６が貫通状態で設けてあり、これら第１、第２、第３のシャッター保持用筒部３４、３５、３６の互いに対向する位置には、図５に示すように片持ち状の舌状片部３７が形成してあり、この舌状片部３７の先部内側には突起部３８が設けてある。
【００４１】
そして、第１のシャッター保持用筒部３４には、第１のスイッチ遮蔽用の第１のシャッター４０が、第２のシャッター保持用筒部３５には、第２のスイッチ遮蔽用の第２のシャッター４１が、また、第３のシャッター保持用筒部３６には、第３のスイッチ遮蔽用の第３のシャッター４２がそれぞれ回転可能に挿入貫通している。
【００４２】
すなわち、第１、第２、第３のシャッター４０、４１、４２は軸部４３の先端部に、この軸部４３に対して直角な遮蔽部４４を設けたものであり、この遮蔽部４４の先部は幅広になされている。そして、軸部４３の先端面部にはシャッター側操作部である多角形状（７角形状）の係合凹部４５が形成してあり、また、軸部４３の周部の互いに対向する位置に、この軸部４３の軸線方向に沿う２条の溝部４６ａ、４６ｂがそれぞれ形成してある。そして、第１、第２、第３のシャッター４０、４１、４２は、それぞれに特殊工具でないと遮蔽解除できない遮蔽手段を構成している。
【００４３】
そして、第１のシャッター４０は、その軸部４３を第１のシャッター保持用筒部３４に挿入貫通させてベース１４に設けてあり、また、第２のシャッター４１は、その軸部４３を第２のシャッター保持用筒部３５に挿入貫通させてベース１４に設けてあり、また、第３のシャッター４２は、その軸部４３を第３のシャッター保持用筒部３６に挿入貫通させてベース１４に設けてあり、図９の（２）に示すように第１、第２、第３のシャッター４０、４１、４２の軸部４３の対向する溝部４６ａ，４６ａに舌状片部３７の突起部３８が係脱可能に係合している。
【００４４】
また、ベース１４の両端側には、表側に突出する発光ダイオード収容部４７、４８が形成してあり、また、ベース１４の両端部には係合突起部４９が設けてある。
【００４５】
電子部品を実装したプリント基板８の実装面部には、第１、第２、第３のボリューム（又はディップスイッチ等）（図示せず）と、発光ダイオード（図示せず）とが装着してある。
【００４６】
フロントカバー１０はカバー本体１０Ａを有しており、このカバー本体１０Ａの裏面の両端側には取付脚部５５、５６が突設してあり、これらの取付脚部５５、５６には係合孔部５７が形成してある。そして、カバー本体１０Ａの面部１０ａには、第１のスイッチ操作用孔部５８と、この第１のスイッチ操作用孔部５８を中心とした円弧状の表示窓部５８Ａと、第２のスイッチ操作用孔部５９と、第３のスイッチ操作用孔部６０とが形成してあり、第２のスイッチ操作用孔部５９と第３のスイッチ操作用孔部６０とは、それぞれに長方形状の表示窓部５９Ａ、６０Ａを有している。
【００４７】
また、カバー本体１０Ａの面部１０ａには、それぞれが円形状の第１のシャッター操作用孔部６１と、第２のシャッター操作用孔部６２と、第３のシャッター操作用孔部６３とが形成してあり、また、カバー本体１０Ａの面部１０ａには、その両端側に位置させて発光ダイオード表示窓部６４、６５が設けてある。
【００４８】
そして、ベース１４は、その両端側の係合突起部４９をフロントカバー１０の取付脚部５５、５６の係合孔部５７に係合させて当該フロントカバー１０の裏側に取り付けてある。この場合、第１、第２、第３のシャッター４０、４１、４２はフロントカバー１０のカバー本体１０Ａの裏側に摺接していて、その抜けが防止されている。
【００４９】
また、フロントカバー１０においては、第１のスイッチ操作用孔部５８内には、第１のスイッチ２１の摘み部２８の中心の十字溝３１が位置しており、表示窓部５８Ａには摘み部２８に表示された時間を表示する数字（図示せず）が位置している。また、第２のスイッチ操作用孔部５９内には、第２のスイッチ２２の摘み部２９の中心の十字溝３２が位置しており、表示窓部５９Ａには摘み部２９に表示されたレンジ設定記号（図示せず）が位置している。また、第３のスイッチ操作用孔部６０内には、第３のスイッチ２３の摘み部３０の中心の十字溝３３が位置しており、表示窓部６０Ａには摘み部３０に表示された記号（図示せず）が位置している。
【００５０】
また、第１のシャッター操作用孔部６１内には、第１のシャッター４０の多角形状の係合凹部４５が位置しており、第２のシャッター操作用孔部６２内には、第２のシャッター４１の多角形状の係合凹部４５が位置しており、第３のシャッター操作用孔部６３内には、第３のシャッター４２の多角形状の係合凹部４５が位置している。さらに、発光ダイオード表示窓部６４、６５内に発光ダイオード収容部４７、４８が位置している。
【００５１】
そして、ケース１のユニット装着部１１にスイッチユニット７とフロントカバー１０とを装着した場合、第１のスイッチ２１のスイッチ本体２１Ａの端部がプリント基板８の実装面部に設けた第１のボリュームの可動側部材に連結してある。同様に、第２のスイッチ２２のスイッチ本体２２Ａの端部が第２のボリュームの可動側部材に連結してあり、第３のスイッチ２３のスイッチ本体２３Ａの端部が第３のボリュームの可動側部材に連結してある。そして、プリント基板８の実装面部に設けた発光ダイオードはベース１４の発光ダイオード収容部４７、４８に収容してある。
【００５２】
図６及び図７に特殊工具であるロックキー７０を示す。このロックキー７０はペン形式であり、このロックキー７０の一端部（上端部）には十字形状の係合凸部７１ａを有する工具側スイッチ操作部７１が、また、ロックキー７０の他端部（下端部）には多角柱形状（７角柱形状）の係合凸部７２ａを有する工具側シャッター操作部７２がそれぞれ設けてある。また、ロックキー７０にはクリップ７３が取り付けてあり、このクリップ７３の基部には紛失防止用の鎖を付けるための孔部７４が設けてある。
【００５３】
上記のように構成された電子機器Ａは、その後面のレール係合部４０３を使用してレール部材（図示せず）に取り付けてある。
【００５４】
電子機器Ａにおける作業者による設定は、この作業者が所有するロックキー７０を用いて行われる。すなわち、ロックキー７０の工具側スイッチ操作部７１を、フロントカバー１０の第１のスイッチ操作用孔部５８に挿入して、この工具側スイッチ操作部７１の十字形状の係合凸部７１ａを、第１のスイッチ２１の摘み部２８の中心の十字溝３１に係合して、ロックキー７０を回転することにより第１のスイッチ２１を回転し設定時間の変更を行う。この場合、表示窓部５８Ａには設定時間が数字で表示される。
【００５５】
また、同様に、ロックキー７０の工具側スイッチ操作部７１を、フロントカバー１０の第２のスイッチ操作用孔部５９に挿入して、この工具側スイッチ操作部７１の十字形状の係合凸部７１ａを、第２のスイッチ２２の摘み部２９の中心の十字溝３２に係合して、ロックキー７０を回転することにより第２のスイッチ２２を回転し設定レンジの設定を行う。この場合、表示窓部５９Ａには設定レンジがレンジ設定記号で表示される。
【００５６】
また、同様に、ロックキー７０の工具側スイッチ操作部７１を、フロントカバー１０の第３のスイッチ操作用孔部６０に挿入して、この工具側スイッチ操作部７１の十字形状の係合凸部７１ａを、第３のスイッチ２３の摘み部３０の中心の十字溝３３に係合して、ロックキー７０を回転することにより第３のスイッチ２３を回転し出力モードの設定を行う。この場合、表示窓部６０Ａには設定出力モードが記号で表示される。
【００５７】
上記のようにして第１のスイッチ２１、第２のスイッチ２２及び第３のスイッチ２３の設定を終えたら、ロックキー７０の工具側シャッター操作部７２を第１のシャッター操作用孔部６１に挿入して、この工具側シャッター操作部７２の多角形状の係合凸部７２ａを第１のシャッター４０の係合凹部４５に係合して、ロックキー７０を、図８において右方向イに回転することにより、この第１のシャッター４０を図９の（１）から図１０の（１）に示すように回転して、その遮蔽部４４を第１のスイッチ２１の直上に移動して第１のスイッチ操作用孔部５８を閉じて、第１のスイッチ２１を外部から操作ができないようにロック（キープロテクト）する｛図１１の（１）、（２）参照｝。
【００５８】
また、同様に、ロックキー７０の工具側シャッター操作部７２を第２のシャッター操作用孔部６２に挿入して、この工具側シャッター操作部７２の多角形状の係合凸部７２ａを第２のシャッター４１の係合凹部４５に係合して、ロックキー７０を、図８において右方向イに回転することにより、この第２のシャッター４１を図９の（１）から図１０の（１）に示すように回転して、その遮蔽部４４を第２のスイッチ２２の直上に移動して第２のスイッチ操作用孔部５９を閉じて、第２のスイッチ２２を外部から操作ができないようにロック（キープロテクト）する｛図１１の（１）、（２）参照｝。
【００５９】
また、同様に、ロックキー７０の工具側シャッター操作部７２を第３のシャッター操作用孔部６３に挿入して、この工具側シャッター操作部７２の多角形状の係合凸部７２ａを第３のシャッター４２の係合凹部４５に係合して、ロックキー７０を、図８において右方向イに回転することにより、この第３のシャッター４２を図９の（１）から図１０の（１）に示すように回転して、その遮蔽部４４を第３のスイッチ２３の係合凹部４５の直上に移動して第３のスイッチ操作用孔部６０を閉じて、第３のスイッチ２３を外部から操作ができないようにロック（キープロテクト）する｛図１１の（１）、（２）参照｝。
【００６０】
第１、第２、第３のシャッター４０、４１、４２によるロック解除位置では、図９の（２）に示すように第１、第２、第３のシャッター４０、４１、４２の軸部４３の対向する一対の溝部４６ａ、４６ａに舌状片部３７の突起部３８が係脱可能に係合していて位置決めされているが、ロックすべく第１、第２、第３のシャッター４０、４１、４２を、図９の（１）の状態から図１０の（１）の状態に回転操作した場合、舌状片部３７の突起部３８が軸部４３の対向する一対の溝部４６ａを外れて他の一対の溝部４６ｂ、４６ｂに係合するようになり、第１、第２、第３のシャッター４０、４１、４２によるロックが位置決めされると共に、回転方向のクリック感が出るようになる。そして、第１、第２、第３のシャッター４０、４１、４２の軸部４６の溝４６ａ、４６ｂと舌状片部３７の突起部３８とで位置決め手段を構成している。
【００６１】
また、カバー本体１０Ａの面部１０ａの裏側に、図１２に示すように第１のシャッター操作用孔部６１を中心とした扇状の第１の凹部６６と、第２のシャッター操作用孔部６２を中心とした扇状の第２の凹部６７と、第３のシャッター操作用孔部６３を中心とした扇状の第３の凹部６８とを形成してもよい。
【００６２】
この場合、第１のシャッター４０の遮蔽部４４は第１の凹部６６内に、第２のシャッター４１の遮蔽部４４は第２の凹部６７内に、第３のシャッター４２の遮蔽部４４は第３の凹部６８内にそれぞれ所定の角度範囲内で回動可能に収容されることになり、第１、第２、第３のシャッター４０、４１、４２を、そのロック解除位置ＮＲからロック位置Ｒに、また、逆に回動させた場合、遮蔽部４４が第１、第２、第３の凹部６６、６７、６８の壁部に衝接することで移動量（角度）規制を行うことができる。そして、第１、第２、第３の凹部６６、６７、６８が移動量規制手段を構成している。
【００６３】
上記した実施の形態例によれば、第１のスイッチ２１（第２、第３のスイッチ２２、２３）の設定を終えたら、ロックキー７０の工具側シャッター操作部７２を第１のシャッター操作用孔部６１（第２、第３のシャッター操作用孔部６２、６３）に挿入して、このシャッター操作部７２を第１のシャッター４０（第２、第３のシャッター４１、４２）の係合凹部４５に係合して、ロックキー７０を回転することにより、この第１のシャッター４０（第２、第３のシャッター４１、４２）を回転して、その遮蔽部４４を第１のスイッチ２１（第２、第３のスイッチ２２、２３）の直上に移動して第１のスイッチ操作用孔部５８（第２、第３のスイッチ操作用孔部５９、６０）を閉じて、第１のスイッチ２１（第２、第３のスイッチ２２、２３）を外部から操作できないようにロック（キープロテクト）することができる。
【００６４】
このために、ロックキー７０を持たない人、例えばユーザー等の意図的な設定値の変更を防止することができるし、また、ソフトがない商品（電子機器）でもキープロテクト機能を簡単な構造で持てるようになる。
【００６５】
また、これまでキープロテクトを有効にするための入力端子又はスイッチを必要としていたが、これらの入力端子又はスイッチをなくすことができるし、また、電子機器のフロント部全体をカバーで覆い、キープロテクトするものはカバーが取り外せないなどの不具合があったが、このような不具合を解消することができるし、また、省スペースでも実現できる構造にすることが可能になるし、特殊工具、すなわち、専用キーの種類によってキープロテクトレベルを変えることができる。
【００６６】
また、第１、第２、第３のスイッチ２１、２２、２３のうちの遮蔽する必要のあるスイッチにおいてのみ、シャッターによる遮蔽を行うようにすることもできる。例えば、第１のスイッチ２１のみに、第１のシャッター４０による遮蔽を行うようにして、第２、第３のスイッチ２２、２３にはシャッターによる遮蔽をしないようにする。このように、第１、第２、第３のスイッチ２１、２２、２３において、シャッターによる遮蔽をするものと遮蔽をしないものとにレベル分けすることで、現場作業者が操作ミスできない簡単な操作部ができる。
【００６７】
なお、シャッター側操作部としての係合凹部４５の形状を７角形の凹部にし、ロックキー７０のシャッター操作部７２を７角柱形状の係合凸部７２ａにしたが、これに限定されるものではなく、ロックキー７０のシャッター操作部７２が十字状の凸部及び３角柱、４角柱、５角柱等の形状であれば、係合凹部４５の形状は十字溝及び３角形状、４角形状、５角形状等の凹部であり、シャッター側操作部としての係合凹部４５はロックキー７０のシャッター操作部７２に合わせた形状であれば、いずれの形状であってもよい。
【００６８】
また、上記した実施例では、第１、第２、第３のシャッター４０、４１、４２のそれぞれが独立して第１、第２、第３のスイッチ操作用孔部５８、５９、６０の遮蔽及びこの遮蔽の解除を行うようにしたが、第１、第２、第３のシャッター４０、４１、４２もしくはこれらのシャッター４０、４１、４２のうちの２つをギヤ列を介して連係して１つのシャッターを動かすことにより、このシャッターに連動させて他のシャッターを作動（回転）させるようにしてもよい。
【００６９】
【発明の効果】
以上説明したように、本発明に係る電子機器のキープロテクト構造によれば、スイッチの設定を終えたら、特殊工具の工具側シャッター操作部をシャッター操作用孔部に挿入して、この工具側シャッター操作部をシャッターのシャッター側操作部に係合して、特殊工具を操作することにより、このシャッターを作動（回転）して、このシャッターをスイッチの直上に移動してスイッチ操作用孔部を閉じて、スイッチを外部から操作できないようにロック（キープロテクト）することができる。
【００７０】
このために、特殊工具を持たない人、例えばユーザーの意図的な設定値の変更を防止することができるし、また、複数のスイッチのうちのいずれかにシャッターによるロックを施して、現場作業者が操作ミスできないようにレベル分けできるために、作業者にとって簡単な操作部ができる。また、ソフトがない商品（電子機器）でもキープロテクト機能を簡単な構造で持てるようになる。
【００７１】
また、これまでキープロテクトを有効にするための入力端子又はスイッチを必要としていたが、これらの入力端子又はスイッチをなくすことができるし、また、電子機器のフロント部全体をカバーで覆い、キープロテクトするものはカバーが取り外せないなどの不具合があったが、このような不具合を解消することができるし、また、省スペースでも実現できる構造にすることが可能になるし、特殊工具、すなわち、専用キーの種類によってキープロテクトレベルを変えることができる。
【図面の簡単な説明】
【図１】本発明に係るキープロテクト構造を備えた電子機器の斜視図である。
【図２】同電子機器の分解状態の斜視図である。
【図３】同電子機器の操作部の分解状態の斜視図である。
【図４】ベースの平面図である。
【図５】ベースの一部破断した正面図である。
【図６】ロックキーの側面図である。
【図７】（１）は図６のＸ方向からの矢視図である。
（２）は図６のＹ方向からの矢視図である。
【図８】ロックキーによるロック（キープロテクト）操作の説明図である。
【図９】（１）は遮蔽解除位置におけるシャッターの回動状態の斜視図である。
（２）は遮蔽解除位置におけるシャッターの位置決めの説明図である。
【図１０】（１）は遮蔽位置におけるシャッターの回動状態の斜視図である。
（２）は遮蔽位置におけるシャッターの位置決めの説明図である。
【図１１】（１）は操作部におけるロック（キープロテクト）前の説明図である。
（２）は操作部におけるロック（キープロテクト）後の説明図である
【図１２】シャッター移動量規制手段の説明図である。
【図１３】従来の電子機器の操作部の斜視図である。
【図１４】従来の電子機器の他の操作部の斜視図である。
【符号の説明】
１  ケース
２  カバー
３  機器本体
４  内部機器
５  第１の端子台
６  第２の端子台
７  スイッチユニット
８  プリント基板
９  基板ユニット
１０  フロントカバー
１１  ユニット装着部
１２  第１の端子台装着部
１３  第２の端子台装着部
１４  ベース
１５  プリント基板
１６  第１のスイッチ保持孔部
１７  第２のスイッチ保持孔部
１８  第３のスイッチ保持孔部
２１  第１のスイッチ
２２  第２のスイッチ
２３  第３のスイッチ
２７  フック部
２８  摘み部
２９  摘み部
３０  摘み部
３１  十字溝（スイッチ側操作部）
３２  十字溝（スイッチ側操作部）
３３  十字溝（スイッチ側操作部）
３４  第１のシャッター保持用筒部
３５  第２のシャッター保持用筒部
３６  第３のシャッター保持用筒部
３７  舌状片部（位置決め手段）
３８  突起部（位置決め手段）
４０  第１のシャッター（遮蔽手段）
４１  第２のシャッター（遮蔽手段）
４２  第３のシャッター（遮蔽手段）
４３  軸部
４４  遮蔽部
４５  係合凹部（シャッター側操作部）
４６ａ  溝部（位置決め手段）
４６ｂ  溝部（位置決め手段）
５８  第１のスイッチ操作用孔部
５９  第２のスイッチ操作用孔部
６０  第３のスイッチ操作用孔部
６１  第１のシャッター操作用孔部
６２  第２のシャッター操作用孔部
６３  第３のシャッター操作用孔部
６６  凹部（移動量規制手段）
６７  凹部（移動量規制手段）
６８  凹部（移動量規制手段）
７０  ロックキー（特殊工具）
７１  工具側スイッチ操作部
７２  工具側シャッター操作部
【図１】
0003948168.tif 000002
【図２】
0003948168.tif 000003
【図３】
0003948168.tif 000004
【図４】
0003948168.tif 000005
【図５】
0003948168.tif 000006
【図６】
0003948168.tif 000007
【図７】
0003948168.tif 000008
【図８】
0003948168.tif 000009
【図９】
0003948168.tif 000010
【図１０】
0003948168.tif 000011
【図１１】
0003948168.tif 000012
【図１２】
0003948168.tif 000013
【図１３】
0003948168.tif 000014
【図１４】
0003948168.tif 000015